(57)【特許請求の範囲】
【請求項１】
ベースを含み、前記ベース内部の左側には変換空間が設置され、前記ベース内部の右側にはスライド空間が設置され、前記スライド空間の前方には外溝が形成され、前記スライド空間の中には昇降体がスライド可能に連結され、前記昇降体の上方には上溝が形成され、前記上溝の中には回転体が回転可能に設置され、前記回転体の中には上空間が設置され、前記昇降体の左上には左空間が設置され、前記上空間の中には上モーターが固定的に連結され、前記上モーターには穿孔用の回転軸が伝動可能に連結され、前記変換空間の中には昇降伝動と旋転伝動のために使用された下モーターが固定的に連結され、前記変換空間の中には制御用の液圧装置が固定的に連結され、前記回転軸の右端には埃を受け取れる移動可能な埃受け取りボックスが設置され、
前記下モーターには外軸スリーブが伝動可能に連結され、前記外軸スリーブには移動軸がスプラインにより連結され、前記移動軸には移動歯車と移動傘歯車が固定的に連結され、
前記液圧装置には液圧ロッドが伝動可能に連結され、前記液圧ロッドにはプッシュ板が固定的に連結され、前記移動軸と前記プッシュ板とが回転可能に連結され、
前記変換空間の中には前縦軸が回転可能に連結され、前記前縦軸には前歯車が固定的に連結され、前記前歯車には後歯車が噛み合い、前記後歯車には前記変換空間の内壁と回転可能に連結された後軸スリーブが固定的に連結され、前記後軸スリーブが前記ベースに伸び、前記後軸スリーブには左縦軸がスプラインにより連結され、
前記左縦軸が前記左空間の中に伸び、前記左縦軸には下傘歯車が固定的に連結され、前記下傘歯車には上傘歯車が噛み合い、前記上傘歯車には前記左空間の右壁と回転可能に連結された上横軸が固定的に連結され、前記上横軸が前記上溝に伸びて前記回転体と固定的に連結され、
前記上空間の中には前記上空間を貫通する上スライドロッドと下スライドロッドがスライド可能に連結され、前記上スライドロッドと前記下スライドロッドの左端には短ロッドが固定的に連結され、前記上スライドロッドと前記下スライドロッドの右端が前記埃受け取りボックスと固定的に連結され、前記埃受け取りボックスの中には埃受け取り空間が設置され、前記埃受け取り空間の左側には左孔が設置され、前記埃受け取り空間の右側には右孔が設置され、前記回転軸が前記左孔を通って前記右孔に伸び、
前記埃受け取りボックスの左端には前記回転体の右端と固定的に連結されたバネが固定的に連結され、
前記昇降体にはラックが固定的に連結され、前記ラックには変位歯車が噛み合い、前記変位歯車には前記外溝の内壁と回転可能に連結された変位軸が固定的に連結され、前記変位軸が前記変換空間に伸び、前記変位軸には端傘歯車が固定的に連結され、
前記ベースの底部には前軸と後軸が回転可能に連結され、前記前軸には二つの前輪が固定的に連結され、前記後軸には二つの後輪が固定的に連結され、
鉛直壁に穴を開ける時、前記液圧装置を始動し、前記液圧ロッドが前記液圧装置に駆動されて移動して前記プッシュ板を移動させ、前記移動軸が駆動されて移動し、前記移動傘歯車が駆動されて移動して前記端傘歯車と噛み合い、その後、前記下モーターを始動し、前記外軸スリーブが前記下モーターに駆動されて回転し、前記移動傘歯車が駆動されて回転し、前記端傘歯車が駆動されて回転し、前記変位歯車が駆動されて回転し、前記ラックが駆動されて移動し、前記昇降体が駆動されて移動し、そして前記昇降体にある前記回転軸が駆動されて指定位置に移動し、この時、前記上モーターを始動し、前記回転軸が前記上モーターに駆動されて回転し、本願発明がプッシュされて移動して壁に穴を開け、穿孔過程において前記埃受け取りボックスが穴の外へ移動し、穴の中の埃が前記埃受け取り空間に落ち、
作動する時、天井に穴を開ける時、前記液圧装置を始動し、前記液圧ロッドが駆動されて移動し、前記プッシュ板が駆動されて移動し、前記移動軸が駆動されて移動し、前記移動歯車と前記前歯車とが駆動されて噛み合うようになり、その後、前記下モーターを始動し、前記移動歯車が駆動されて回転し、前記前歯車が駆動されて回転し、前記左縦軸が駆動されて回転し、前記下傘歯車が駆動されて回転し、前記上傘歯車が駆動されて回転し、前記回転体が駆動されて回転し、前記回転軸が駆動されて所要位置に回転し、その後、前記液圧装置を作動させることにより、前記移動傘歯車が再び前記端傘歯車と噛み合い、それと同時に前記下モーターと前記上モーターを作動させ、前記下モーターが前記回転軸を駆動して上方に移動させ、前記上モーターが前記回転軸を駆動して回転させ、こうして天井に穴を開けることが実現されることを特徴とする効率的かつ高精度な壁穿孔装置。
【発明の詳細な説明】
【技術分野】
【０００１】
本願発明は内装設備分野に関し、具体的には効率的かつ高精度な壁穿孔装置である。
【背景技術】
【０００２】
内装は数多くの人にとって見知らぬ物ではなく、新しい家が建てられた後、家に内装工事を行い、従い、内装業も盛んになっている。内装過程において壁や天井に穴をたくさん開ける必要があり、従来の電気ドリルは重すぎ、人による操作が難しく、大量の埃が生み出されて人の気道に入る恐れがあり、通常の内装高度が高すぎるため、内装工事の作業員は到達するのも困難で、作業の難易度が高い。従い、上記の問題を解決するために効率的かつ高精度な壁穿孔装置を意図的に設計する。
【先行技術文献】
【特許文献】
【０００３】
【特許文献１】中国特許出願公開第１０６４７６１４６号明細書
【発明の概要】
【発明が解決しようとする課題】
【０００４】
本願発明は効率的かつ高精度な壁穿孔装置を提供し、既存技術にある上記の欠点を解消して設備の実用性を向上させることを目的とする。
【課題を解決するための手段】
【０００５】
技術問題を解決するために、本発明は以下の技術プランを提供する：効率的かつ高精度な壁穿孔装置であり、本願発明に記載の効率的かつ高精度な壁穿孔装置は、ベースを含み、前記ベース内部の左側には変換空間が設置され、前記ベース内部の右側にはスライド空間が設置され、前記スライド空間の前方には外溝が形成され、前記スライド空間の中には昇降体がスライド可能に連結され、前記昇降体の上方には上溝が形成され、前記上溝の中には回転体が回転可能に設置され、前記回転体の中には上空間が設置され、前記昇降体の左上には左空間が設置され、前記上空間の中には上モーターが固定的に連結され、前記上モーターには穿孔用の回転軸が伝動可能に連結され、前記変換空間の中には昇降伝動と旋転伝動のために使用された下モーターが固定的に連結され、前記変換空間の中には制御用の液圧装置が固定的に連結され、前記回転軸の右端には埃を受け取れる移動可能な埃受け取りボックスが設置されている。
【０００６】
有益なように、前記下モーターには外軸スリーブが伝動可能に連結され、前記外軸スリーブには移動軸がスプラインにより連結され、前記移動軸には移動歯車と移動傘歯車が固定的に連結されている。
【０００７】
有益なように、前記液圧装置には液圧ロッドが伝動可能に連結され、前記液圧ロッドにはプッシュ板が固定的に連結され、前記移動軸と前記プッシュ板とが回転可能に連結されている。
【０００８】
有益なように、前記変換空間の中には前縦軸が回転可能に連結され、前記前縦軸には前歯車が固定的に連結され、前記前歯車には後歯車が噛み合い、前記後歯車には前記変換空間の内壁と回転可能に連結された後軸スリーブが固定的に連結され、前記後軸スリーブが前記ベースに伸び、前記後軸スリーブには左縦軸がスプラインにより連結されている。
【０００９】
有益なように、前記左縦軸が前記左空間の中に伸び、前記左縦軸には下傘歯車が固定的に連結され、前記下傘歯車には上傘歯車が噛み合い、前記上傘歯車には前記左空間の右壁と回転可能に連結された上横軸が固定的に連結され、前記上横軸が前記上溝に伸びて前記回転体と固定的に連結されている。
【００１０】
有益なように、前記上空間の中には前記上空間を貫通する上スライドロッドと下スライドロッドがスライド可能に連結され、前記上スライドロッドと前記下スライドロッドの左端には短ロッドが固定的に連結され、前記上スライドロッドと前記下スライドロッドの右端が前記埃受け取りボックスと固定的に連結され、前記埃受け取りボックスの中には埃受け取り空間が設置され、前記埃受け取り空間の左側には左孔が設置され、前記埃受け取り空間の右側には右孔が設置され、前記回転軸が前記左孔を通って前記右孔に伸びる。
【００１１】
有益なように、前記埃受け取りボックスの左端には前記回転体の右端と固定的に連結されたバネが固定的に連結されている。
【００１２】
有益なように、前記昇降体にはラックが固定的に連結され、前記ラックには変位歯車が噛み合い、前記変位歯車には前記外溝の内壁と回転可能に連結された変位軸が固定的に連結され、前記変位軸が前記変換空間に伸び、前記変位軸には端傘歯車が固定的に連結されている。
【００１３】
有益なように、前記ベースの底部には前軸と後軸が回転可能に連結され、前記前軸には二つの前輪が固定的に連結され、前記後軸には二つの後輪が固定的に連結されている。
【発明の効果】
【００１４】
本願発明の有益な効果は：本願発明に記載された効率的かつ高精度な壁穿孔装置は、上下移動可能な支持フレームによって穿孔装置を所要場所に輸送でき、移動可能な装置によって快速に穿孔でき、移動可能かつ上昇可能な穿孔装置によって天井に穴を開けることができ、スライド可能な埃受け取り装置によって穿孔時に埃が舞い上がることを防止できる。
【図面の簡単な説明】
【００１５】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の効率的かつ高精度な壁穿孔装置の全体構成概略図
【図２】図２は図１におけるＡ―Ａ断面の構成概略図
【図３】図３は図１におけるＢ―Ｂ断面の構成概略図
【図４】図４は図１におけるＣ―Ｃ断面の構成概略図
【発明を実施するための形態】
【００１７】
図１〜４に記載の効率的かつ高精度な壁穿孔装置は、ベース１０を含み、前記ベース１０内部の左側には変換空間１１が設置され、前記ベース１０内部の右側にはスライド空間３６が設置され、前記スライド空間３６の前方には外溝１７が形成され、前記スライド空間３６の中には昇降体２５がスライド可能に連結され、前記昇降体２５の上方には上溝２６が形成され、前記上溝２６の中には回転体２７が回転可能に設置され、前記回転体２７の中には上空間３７が設置され、前記昇降体２５の左上には左空間２８が設置され、前記上空間３７の中には上モーター３８が固定的に連結され、前記上モーター３８には穿孔用の回転軸３９が伝動可能に連結され、前記変換空間１１の中には昇降伝動と旋転伝動のために使用された下モーター１５が固定的に連結され、前記変換空間１１の中には制御用の液圧装置４８が固定的に連結され、前記回転軸３９の右端には埃を受け取れる移動可能な埃受け取りボックス４２が設置されている。
【００１８】
有益なように、前記下モーター１５には外軸スリーブ１４が伝動可能に連結され、前記外軸スリーブ１４には移動軸１６がスプラインにより連結され、前記移動軸１６には移動歯車１８と移動傘歯車２０が固定的に連結されている。
【００１９】
有益なように、前記液圧装置４８には液圧ロッド４７が伝動可能に連結され、前記液圧ロッド４７にはプッシュ板１９が固定的に連結され、前記移動軸１６と前記プッシュ板１９とが回転可能に連結されている。
【００２０】
有益なように、前記変換空間１１の中には前縦軸１２が回転可能に連結され、前記前縦軸１２には前歯車１３が固定的に連結され、前記前歯車１３には後歯車４５が噛み合い、前記後歯車４５には前記変換空間１１の内壁と回転可能に連結された後軸スリーブ４６が固定的に連結され、前記後軸スリーブ４６が前記ベース１０に伸び、前記後軸スリーブ４６には左縦軸２９がスプラインにより連結されている。
【００２１】
有益なように、前記左縦軸２９が前記左空間２８の中に伸び、前記左縦軸２９には下傘歯車３０が固定的に連結され、前記下傘歯車３０には上傘歯車３１が噛み合い、前記上傘歯車３１には前記左空間２８の右壁と回転可能に連結された上横軸３２が固定的に連結され、前記上横軸３２が前記上溝２６に伸びて前記回転体２７と固定的に連結されている。
【００２２】
有益なように、前記上空間３７の中には前記上空間３７を貫通する上スライドロッド３３と下スライドロッド３５がスライド可能に連結され、前記上スライドロッド３３と前記下スライドロッド３５の左端には短ロッド３４が固定的に連結され、前記上スライドロッド３３と前記下スライドロッド３５の右端が前記埃受け取りボックス４２と固定的に連結され、前記埃受け取りボックス４２の中には埃受け取り空間４３が設置され、前記埃受け取り空間４３の左側には左孔４１が設置され、前記埃受け取り空間４３の右側には右孔４４が設置され、前記回転軸３９が前記左孔４１を通って前記右孔４４に伸びる。
【００２３】
有益なように、前記埃受け取りボックス４２の左端には前記回転体２７の右端と固定的に連結されたバネ４０が固定的に連結されている。
【００２４】
有益なように、前記昇降体２５にはラック２４が固定的に連結され、前記ラック２４には変位歯車２２が噛み合い、前記変位歯車２２には前記外溝１７の内壁と回転可能に連結された変位軸２３が固定的に連結され、前記変位軸２３が前記変換空間１１に伸び、前記変位軸２３には端傘歯車２１が固定的に連結されている。
【００２５】
有益なように、前記ベース１０の底部には前軸５１と後軸５３が回転可能に連結され、前記前軸５１には二つの前輪５０が固定的に連結され、前記後軸５３には二つの後輪５２が固定的に連結されている。
【００２６】
本実施例に記載の固定連結方法はボルトによる固定や溶接などの方法を含むが、これに限定されるものではない。
【００２７】
本願発明の作動順序は以下の通りである。
【００２８】
１、鉛直壁に穴を開ける時、前記液圧装置４８を始動し、前記液圧ロッド４７が前記液圧装置４８に駆動されて移動して前記プッシュ板１９を移動させ、前記移動軸１６が駆動されて移動し、前記移動傘歯車２０が駆動されて移動して前記端傘歯車２１と噛み合い、その後、前記下モーター１５を始動し、前記外軸スリーブ１４が前記下モーター１５に駆動されて回転し、前記移動傘歯車２０が駆動されて回転し、前記端傘歯車２１が駆動されて回転し、前記変位歯車２２が駆動されて回転し、前記ラック２４が駆動されて移動し、前記昇降体２５が駆動されて移動し、そして前記昇降体２５にある前記回転軸３９が駆動されて指定位置に移動し、この時、前記上モーター３８を始動し、前記回転軸３９が前記上モーター３８に駆動されて回転し、本願発明がプッシュされて移動して壁に穴を開け、穿孔過程において前記埃受け取りボックス４２が穴の外へ移動し、穴の中の埃が前記埃受け取り空間４３に落ちる。
【００２９】
２、作動する時、天井に穴を開ける時、前記液圧装置４８を始動し、前記液圧ロッド４７が駆動されて移動し、前記プッシュ板１９が駆動されて移動し、前記移動軸１６が駆動されて移動し、前記移動歯車１８と前記前歯車１３とが駆動されて噛み合うようになり、その後、前記下モーター１５を始動し、前記移動歯車１８が駆動されて回転し、前記前歯車１３が駆動されて回転し、前記左縦軸２９が駆動されて回転し、前記下傘歯車３０が駆動されて回転し、前記上傘歯車３１が駆動されて回転し、前記回転体２７が駆動されて回転し、前記回転軸３９が駆動されて所要位置に回転し、その後、前記液圧装置４８を作動させることにより、前記移動傘歯車２０が再び前記端傘歯車２１と噛み合い、それと同時に前記下モーター１５と前記上モーター３８を作動させ、前記下モーター１５が前記回転軸３９を駆動して上方に移動させ、前記上モーター３８が前記回転軸３９を駆動して回転させ、こうして天井に穴を開けることが実現される。
【００３０】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】      （修正有）【課題】内装工事において壁や天井に穴をたくさん開ける必要があり、内装高度が高すぎるため、作業員は到達するのも困難で、作業の難易度が高い。設備の実用性を向上させた壁穿孔装置を提供する。【解決手段】ベース１０を含み、ベース内部の左側には変換空間１１が設置され、ベース内部の右側にはスライド空間が設置され、スライド空間の前方には外溝１７が形成され、スライド空間の中には昇降体２５がスライド可能に連結され、昇降体２５の上方には上溝２６が形成され、上溝２６の中には回転体２７が回転可能に設置され、回転体２７の中には上空間が設置され、壁穿孔装置は、上下移動可能な支持フレームによって穿孔装置を所要場所に輸送でき、移動可能な装置によって快速に穿孔でき、移動可能かつ上昇可能な穿孔装置によって天井に穴を開けることができ、スライド可能な埃受け取り装置によって穿孔時に埃が舞い上がることを防止できる。【選択図】図１【図１】
0006810861.tif 000002
【図２】
0006810861.tif 000003
【図３】
0006810861.tif 000004
【図４】
0006810861.tif 000005